(57)【要約】【課題】  アクチュエータ２の経時変化によってアクチュエータ２のヒステリシス幅が大きくなった場合でも、エンジンの回転数の負荷応答が遅れることのないようにアクチュエータ２の初期の応答性を維持すること。【解決手段】  回転数判定手段６１は、エンジンの回転数が所定の回転数より大きいか否かを判定する。ディザ幅設定手段６２は、回転数判定手段６１によってエンジンの回転数が所定の回転数より大きいと判定された場合には、ディザ電流のディザ幅を増加させる。ディザ幅設定手段６２は、ディザ信号のパルス幅を増加させることによってディザ電流のディザ幅を増加させる。【選択図】  図１
2006077581.tif 000002
【特許請求の範囲】
【請求項１】
アクチュエータ（2）を駆動するアクチュエータ駆動電流を制御することによってアクチュエータ（2）に燃料供給調節手段を操作させ、燃料供給調節手段にエンジンの回転数が目標回転数になるように燃料供給量を調節させる電子ガバナであって、
エンジンの回転数を検出する回転数検出手段(3)と、目標回転数を設定する目標回転数設定手段(4)と、エンジンの回転数を目標回転数に調節するようにアクチュエータ駆動電流を制御する駆動電流制御手段(5)と、アクチュエータ駆動電流にディザ電流を重畳させるディザ電流重畳手段(6)と、ディザ電流を重畳させたアクチュエータ駆動電流をアクチュエータ(2)に出力する駆動手段(7)とを具備し、
ディザ電流重畳手段(6)は、エンジンの回転数が所定の回転数より大きい場合、ディザ電流のディザ幅を増加させる電子ガバナ。
【発明の詳細な説明】
【技術分野】
【０００１】
本発明は、アクチュエータを用いてエンジンの回転数を目標回転数に制御する電子ガバナに関し、詳細には、アクチュエータ駆動電流にディザ電流を重畳させることにより、アクチュエータの応答性を向上させる電子ガバナに関する。
【背景技術】
【０００２】
昨今、アクチュエータを用いてエンジンの回転数を目標回転数に制御する電子ガバナが多く用いられている。アクチュエータは、エンジンがディーゼルエンジンである場合には、燃料供給量を調節する調量ラックを操作することにより、エンジンの回転数が目標回転数になるように燃料供給量を調節する。このアクチュエータは、図２の実線に示されるように、アクチュエータ駆動電流に対してヒステリシス特性を有している。図２は、アクチュエータのヒステリシス特性を示す図であり、縦軸はアクチュエータの駆動に応じて移動する調量ラックの位置を示し、横軸はアクチュエータを駆動させるアクチュエータ駆動電流を示す。このヒステリシス特性により、アクチュエータがアクチュエータ駆動電流の変化に応じて駆動しない場合がある。例えば調量ラックの位置をＡ点からＢ点に移動させるようにアクチュエータを駆動させる場合、アクチュエータ駆動電流をＣ点からＤ点に増加させてもアクチュエータは駆動しないため、さらにアクチュエータ駆動電流をＥ点まで増加させる必要がある。アクチュエータが駆動しないＣ点からＤ点までのアクチュエータ駆動電流の幅をヒステリシス幅といい、アクチュエータ駆動電流の変化幅がヒステリシス幅より短い場合に、アクチュエータが駆動することはない。このヒステリシス特性の影響を防ぐために、従来の電子ガバナでは、アクチュエータ駆動電流にディザ電流を重畳することによってアクチュエータを微小振動させ、アクチュエータの応答性向上を実現している（特許文献１参照）。アクチュエータを微小振動させるために、ディザ電流の振幅（以下、ディザ幅と称す）はアクチュエータのヒステリシス幅の少なくとも半分程度に初期設定されている。
【０００３】
【特許文献１】特開２００１−２０７８９号公報
【発明の開示】
【発明が解決しようとする課題】
【０００４】
このようにディザ幅はアクチュエータのヒステリシス幅に対応して初期設定されるが、アクチュエータのヒステリシス幅は、以下に説明するように長時間にわたるエンジンの稼働から生じるアクチュエータの経時変化によって増加する。
【０００５】
アクチュエータは、プランジャを有しており、このプランジャを軸方向に移動させることによって調量ラックを軸方向に移動させる。プランジャは、軸受によって軸方向のみに移動するように予め軸支されているために、軸方向の力を与えられると確実に軸方向に移動する。
しかし、長時間にわたるエンジンの稼動により、プランジャが摺動する軸受内面は磨耗する。これにより、プランジャは、軸方向のみに移動するのではなく、軸方向に対して左右上下に移動するようになる。この結果、プランジャに与えられる軸方向の力から分力する軸方向とは垂直の力（以下、軸受方向の力と称す）が増加し、この軸受方向の力の増加がプランジャと軸受との間の摩擦力を増加させる。この摩擦力の増加によりヒステリシス幅が増加する。
【０００６】
図３は、長時間にわたってエンジンを稼動させたことにより、アクチュエータのヒステリシス幅が増加することを示す図である。図３に示されているように、エンジンを長時間にわたって稼動させた後のヒステリシス幅（例えば破線のＦ点からＧ点までの幅）は初期のヒステリシス幅（例えば実線のＨ点からＩ点までの幅）より大きくなる。このようにヒステリシス幅が大きくなると、初期のヒステリシス幅に対応して初期設定されたディザ幅は、アクチュエータのヒステリシス幅の半分より小さくなる。この結果、アクチュエータが微小振動しなくなり、アクチュエータの応答性がヒステリシス特性によって低下するおそれがある。
【０００７】
このアクチュエータの応答性の低下は、図４に示されるように、エンジン回転数の負荷応答が遅れるような負荷応答波形の変化として現れる。図４の縦軸はエンジン回転数を示し、図４の横軸は時間を示す。初期のエンジン回転数の負荷応答波形は実線によって示され、稼動後のエンジン回転数の負荷応答波形は破線によって示されている。両者を比較すると、負荷投入により、前者の回転数が負荷投入前の回転数Ｒ０からＲ１まで低下しているのに対し、後者の回転数が負荷投入前の回転数Ｒ０からＲ１より低い回転数であるＲ２まで低下する。また、後者の負荷応答時間ｔ２は前者の負荷応答時間ｔ１より長い。負荷応答時間とは、負荷投入によって一旦低下した回転数が負荷投入前の回転数に戻る時間である。
【０００８】
本発明は、上記問題を解決すると共に、エンジンの長時間にわたる稼働から生じるアクチュエータの経時変化によってアクチュエータのヒステリシス幅が大きくなった場合でも、エンジン回転数の負荷応答が遅れることのないようにアクチュエータの初期の応答性を維持する電子ガバナを提供することを目的とする。
【課題を解決するための手段】
【０００９】
本発明は、アクチュエータ（2）を駆動するアクチュエータ駆動電流を制御することによってアクチュエータ（2）に燃料供給調節手段を操作させ、燃料供給調節手段にエンジンの回転数が目標回転数になるように燃料供給量を調節させる電子ガバナであって、エンジンの回転数を検出する回転数検出手段(3)と、目標回転数を設定する目標回転数設定手段(4)と、エンジンの回転数を目標回転数に調節するようにアクチュエータ駆動電流を制御する駆動電流制御手段(5)と、アクチュエータ駆動電流にディザ電流を重畳させるディザ電流重畳手段(6)と、ディザ電流を重畳させたアクチュエータ駆動電流をアクチュエータ(2)に出力する駆動手段(7)とを具備し、ディザ電流重畳手段(6)は、エンジンの回転数が所定の回転数より大きい場合、ディザ電流のディザ幅を増加させ、これにより上記目的が達成される。
【発明の効果】
【００１０】
本発明は、エンジンの稼働時間に応じて生じるアクチュエータの経時変化によってアクチュエータのヒステリシス幅が大きくなった場合でも、エンジンの回転数が所定の回転数より大きい場合にディザ電流のディザ幅を増加させることによってアクチュエータを微小振動させ、これによりエンジン回転数の負荷応答が遅れることのないようにアクチュエータの応答性を初期の応答性に維持する電子ガバナを提供することを可能とする。
【発明を実施するための最良の形態】
【００１１】
以下、本発明の実施形態を図面を参照して説明する。
図１は、本発明の実施形態である電子ガバナ１の一例を示したブロック図である。
【００１２】
本発明の実施形態である電子ガバナ１は、アクチュエータ２を駆動するアクチュエータ駆動電流を制御する。制御されたアクチュエータ駆動電流がアクチュエータ２に出力されると、アクチュエータ２は、燃料供給量を調節する燃料供給調節手段（図示せず）を操作することにより、エンジンの回転数が目標回転数になるように燃料供給量を調節する。例えば、アクチュエータ２はソレノイドであり、アクチュエータ駆動電流は励磁電流である。燃料供給調節手段は、例えば燃料噴射ポンプに設けられた燃料調量ラックであり、エンジンへの燃料供給量を調節する。
本実施形態の電子ガバナ１は、回転数検出手段３と、目標回転数設定手段４と、駆動電流制御手段５と、ディザ電流重畳手段６と、駆動手段７とを備える。
【００１３】
回転数検出手段３はエンジンの回転数を検出する。回転数検出手段３は、例えばアクチュエータ駆動電流または１回転数当りで検出されるパルス数に基いて回転数を検出する。
目標回転数設定手段４は目標回転数を設定する。目標回転数設定手段４は例えば調速レバーである。
【００１４】
駆動電流制御手段５は、エンジンの回転数を目標回転数に調節するようにアクチュエータ駆動電流を制御する。駆動電流制御手段５は、回転数偏差演算手段５１と、目標電流値演算手段５２と、電流検出手段５３と、電流偏差演算手段５４と、ＰＷＭ信号演算手段５５とを備える。これら駆動電流制御手段５の諸手段は、例えばＥＣＵ等のコンピュータにおいて実現されている。
【００１５】
回転数偏差演算手段５１は、エンジンの回転数と目標回転数との回転数偏差を演算する。目標電流値演算手段５２は、演算された回転数偏差を許容範囲内にするようにアクチュエータ駆動電流値を設定する。電流検出手段５３は、シャント抵抗（図示せず）によってアクチュエータから検出された電流をＡ／Ｄ変換し、Ａ／Ｄ変換した後の値からアクチュエータの検出電流値を算出する。電流偏差演算手段５４は、設定されたアクチュエータ駆動電流値とアクチュエータの検出電流値との電流値偏差を演算する。ＰＷＭ信号演算手段５５は、演算された電流値偏差を許容範囲内にするＰＷＭ信号のデューティ比をＰＩＤ制御に基いて演算する。
【００１６】
ディザ電流重畳手段６は、エンジンの回転数が所定の回転数より大きい場合、ディザ電流のディザ幅を増加させ、次いで、ディザ電流をアクチュエータ駆動電流に重畳させる。ディザ電流重畳手段６は、回転数判定手段６１と、ディザ幅設定手段６２と、ＰＷＭ信号出力手段６３とを備える。これらディザ電流重畳手段６の諸手段は、例えばＥＣＵ等のコンピュータにおいて実現されている。
【００１７】
回転数判定手段６１は、エンジン回転数が所定の回転数より大きいか否かを判定する。回転数判定手段６１は、回転数検出手段３によって検出されたエンジンの回転数が所定の回転数より大きいか否かを判定する。所定の回転数は、エンジンを長時間にわたって試運転させることよって取得された経験的データに基いて予め設定される。
【００１８】
ディザ幅設定手段６２は、回転数判定手段６１によってエンジン回転数が所定の回転数より大きいと判定された場合には、ディザ電流のディザ幅を増加させる。ディザ幅設定手段６２は、ディザ信号のパルス幅を所定のパルス幅に増加させることによってディザ電流のディザ幅を増加させる。
【００１９】
ＰＷＭ信号出力手段６３は、ディザ電流のディザ幅を増加させるように制御されたパルス幅を有するディザ信号を、ＰＷＭ信号演算手段５５によって演算されたＰＷＭ信号に重畳させる。次いで、ＰＷＭ信号出力手段６３は、ディザ信号を重畳させたＰＷＭ信号を駆動手段７に出力する。
【００２０】
駆動手段７は、ＰＷＭ信号出力手段６３から入力されたＰＷＭ信号に基いて、ディザ電流を重畳させたアクチュエータ駆動電流をアクチュエータ２に出力する。駆動手段７は例えばアクチュエータ２がソレノイドである場合には励磁回路を備える。
【００２１】
以上のように説明してきた電子ガバナは、本発明の一実施形態に過ぎず、本発明は、この実施形態に限定されることはなく、請求の範囲に基く技術的範囲内で適宜変更して実施することができる。
【図面の簡単な説明】
【００２２】
【図１】本発明の実施形態である電子ガバナの一例を示したブロック図である。
【図２】アクチュエータのヒステリシス特性を示した図である。
【図３】摺動変化等の経時変化によって増加したアクチュエータのヒステリシス幅を示した図である。
【図４】エンジン回転数の負荷応答波形の変化を示す図である。
【符号の説明】
【００２３】
１…電子ガバナ
２…アクチュエータ
３…回転数検出手段
４…目標回転数設定手段
５…駆動電流制御手段
６…ディザ電流重畳手段
７…駆動手段
【図１】
2006077581.tif 000003
【図２】
2006077581.tif 000004
【図３】
2006077581.tif 000005
【図４】
2006077581.tif 000006